(57)【要約】【課題】１つの装置でピン送り方式とピンレス送り方式の双方の連続用紙の丁合を随時選択的にできるようにする。【解決手段】  送り孔有りの連続用紙と、送り孔無しで、かつ絵柄ごとにタイミングマークが印刷されている連続用紙とを選択的に支持可能にした給紙機２ｅ〜ｇを搬送ライン１の搬送方向に複数設け、搬送ラインの上記各給紙機の搬送方向下流側に、送り孔有りの連続用紙の送り孔に係合して搬送作動を行い、かつ搬送ラインの幅方向に移動可能にしたピントラクタ７と、搬送機能を断続可能にした搬送ロール８と、搬送される連続用紙に印刷されているタイミングマークを読み取るマークセンサ２３とを設け、各給紙機に、送り孔有りの連続用紙をピントラクタによる搬送タイミングに合わせて搬送ラインに給紙するピン送り用制御部９と、マークセンサの検出信号のタイミングに合わせて送り孔無しの連続用紙を搬送ラインに給紙するピンレス送り用制御部１９を設けた。【選択図】図３
2010253793.tif 000002
【特許請求の範囲】
【請求項１】
送り孔有りの連続用紙と、送り孔無しで、かつ絵柄ごとにタイミングマークが印刷されている連続用紙とを選択的に支持可能にした給紙機を連続用紙を積層搬送する搬送ラインの搬送方向に複数設け、
搬送ラインの上記各給紙機の搬送方向下流側に、上記送り孔有りの連続用紙の送り孔に係合して搬送作動を行い、かつ搬送ラインの幅方向に移動可能にしたピントラクタと、搬送機能を断続可能にした搬送ロールと、搬送される連続用紙に印刷されているタイミングマークを読み取るマークセンサとを設け、
各給紙機に、送り孔有りの連続用紙をピントラクタによる搬送タイミングに合わせて搬送ラインに給紙するピン送り用制御部と、マークセンサの検出信号のタイミングに合わせて送り孔無しの連続用紙を搬送ラインに給紙するピンレス送り用制御部を設けた
ことを特徴とする連続用紙の丁合装置。
【請求項２】
請求項１記載の連続用紙の丁合装置の搬送ライン上に、兼用送り方式の給紙機のほかに、ピン送り用制御部のみを設けたピン送り方式の給紙機を設けたことを特徴とする連続用紙の丁合装置。
【請求項３】
ピン送り用制御部は、
給紙機に支持されるロール状の連続用紙を引き出すダンサロール装置と、ピントラクタの搬送動作に連動して制御される送り制御ロールとからなり、またピンレス送り用制御部は、マークセンサの検出信号に基づいて回転制御するＳ字送り制御ロールと送り制御ロールとからなることを特徴とする請求項１または２記載の連続用紙の丁合装置。
【請求項４】
ピンレス送り用制御部に連続用紙の裏面に糊付けを行う糊付け装置を設け、この糊付け装置にて糊付けされた連続用紙をピンレス送り制御部の送り制御ロールにて搬送ラインに案内し、この送り制御ロールに連続用紙を押圧して転接する糊圧着ロールの周面に軸方向の溝を周方向に複数設けたことを特徴とする請求項１，２，３のいずれか１項記載の連続用紙の丁合装置。
【発明の詳細な説明】
【技術分野】
【０００１】
本発明は、同一の天地サイズで印刷された複数の連続用紙を、上記印刷の絵柄位置を合わせながら丁合する連続用紙の丁合装置に関するものである。
【背景技術】
【０００２】
従来のこの種の丁合装置にあっては、連続用紙に伝票のサイズに基づき一定のピッチで印刷を行った後、その両側部に用紙送り用となる送り孔（マージナルパンチ）を穿設してから、これを一旦ロール状に巻き取ってロール状の連続用紙とし、この連続用紙を給紙部に複数セットしてこの給紙部より繰り出し、各連続用紙の送り孔を用いてピントラクタより同期して搬送することで、各連続用紙の絵柄位置がズレることなく丁合するようにしている（例えば、引用文献１，２参照）。
【０００３】
上記したように複数の連続用紙を送り孔とピントラクタを用いて丁合する場合、この各連続用紙はこれの両側に送り孔を設けたものが用いられているが、最終製品においてはこの送り孔は不要であり、一般的にはその送り孔部分を切り落として最終製品としている。この送り孔部分の幅は片側部分で１／２インチの寸法があり、両側では１インチ幅で切り落とされることとなって、この部分が無駄になり、その上、上記送り孔の加工処理及びその装置を設備するコストなどがかかるという問題がある。
【０００４】
このことから上記連続用紙の丁合に、ピンレス、すなわち連続用紙の両側に送り孔を設けず、したがってピントラクタを使用せずに、各連続用紙の各絵柄ごとに設けたタイミングマークを検出しながら２つの連続用紙を糊付けしたり、３つの連続用紙を各絵柄間位置で切断して排出するなど生産される製品が限定される形での専用機としての装置が使用されている。
【先行技術文献】
【特許文献】
【０００５】
【特許文献１】特開２００５−２６３４６５号公報
【特許文献２】特開２００５−１０３８６９号公報
【発明の概要】
【発明が解決しようとする課題】
【０００６】
上記したように連続用紙を丁合する場合、ピン送り方式と、生産される製品が限定される形での専用機としての方式のものと２通りがあり、従来にあっては両方式のそれぞれで生産する製品にあった生産効率と機能を有する装置として使い分けられていたが、両方式を選択的に用いることができる丁合装置はなく、現場にあっては両方式の丁合装置を備えなければならないという不便さがあった。
【０００７】
本発明は上記のことに鑑みなされたもので、１台の連続用紙の丁合装置でピン送り装置とピンレス送り方式の双方の連続用紙の丁合を随時選択的に行うことができ、生産可能な製品の種類を増大して多目的用途の装置とすることができる連続用紙の丁合装置を提供することを目的とするものである。
【課題を解決するための手段】
【０００８】
上記目的を達成するために、本発明の請求項１に係る連続用紙の丁合装置は、送り孔有りの連続用紙と、送り孔無しで、かつ絵柄ごとにタイミングマークが印刷されている連続用紙とを選択的に支持可能にした給紙機を連続用紙を積層搬送する搬送ラインの搬送方向に複数設け、搬送ラインの上記各給紙機の搬送方向下流側に、上記送り孔有りの連続用紙の送り孔に係合して搬送作動を行い、かつ搬送ラインの幅方向に移動可能にしたピントラクタと、搬送機能を断続可能にした搬送ロールと、搬送される連続用紙に印刷されているタイミングマークを読み取るマークセンサとを設け、各給紙機に、送り孔有りの連続用紙をピントラクタによる搬送タイミングに合わせて搬送ラインに給紙するピン送り用制御部と、マークセンサの検出信号のタイミングに合わせて送り孔無しの連続用紙を搬送ラインに給紙するピンレス送り用制御部を設けた構成になっている。
【０００９】
また、本発明の請求項２に係る連続用紙の丁合装置は、上記連続用紙の丁合装置の搬送ライン上に、兼用送り方式の給紙機のほかに、ピン送り用制御部のみを設けたピン送り方式の給紙機を設けた構成になっている。
【００１０】
また、本発明の請求項３に係る連続用紙の丁合装置は、上記連続用紙の丁合装置のピン送り用制御部は、給紙機に支持されるロール状の連続用紙を引き出すダンサロール装置と、ピントラクタの搬送動作に連動して制御される送り制御ロールとからなり、またピンレス送り用制御部は、マークセンサの検出信号に基づいて回転制御するＳ字送り制御ロールと送り制御ロールとからなる構成になっている。
【００１１】
さらに、本発明の請求項４に係る連続用紙の丁合装置は、上記連続用紙の丁合装置のピンレス送り用制御部に連続用紙の裏面に糊付けを行う糊付け装置を設け、この糊付け装置にて糊付けされた連続用紙をピンレス送り制御部の送り制御ロールにて搬送ラインに案内し、この送り制御ロールに連続用紙を押圧して転接する糊圧着ロールの周面に軸方向の溝を周方向に複数設けた構成になっている。
【発明の効果】
【００１２】
上記請求項１に係る発明によれば、１台の連続用紙の丁合装置で、ピン送り方式とピンレス送り方式の双方の連続用紙の丁合を随時選択的に行うことができ、生産可能な製品の種類を増大して多目的な用途の装置とすることができる。
【００１３】
また請求項２に係る発明によれば、７連等の多数枚の連続用紙をピン送り方式にて丁合可能な丁合装置において、このうちの複数、例えば３連の連続用紙をピンレス方式にて丁合を行うことができ、このピンレス方式による丁合を７連等の通常の丁合と兼用して用いることができる。
【００１４】
また請求項３に係る発明によれば、ピン送り方式の場合の連続用紙は搬送ラインのピントラクタの搬送に同期して、またピンレス送り方式の場合の連続用紙は、搬送ラインの搬送ロールによる搬送に同期してそれぞれの連続用紙をずれることなく給紙することができる。
【００１５】
さらに請求項４に係る発明によれば、ピンレス送り方式の給紙機に支持された連続用紙が、ピンレス送り制御部にて給紙され、この間に糊付け装置にて糊付けされて、送り制御ロールとこれに転接される糊圧着ロールの間を通って搬送ラインに給紙される際に、上記送り制御ロールとこれに転接している糊圧着ロールとの間に速度差が生じても、この速度差は糊圧着時に、糊圧着ロールの周面に設けられた溝によるニップ逃げによって吸収され、ピンレス送り制御部からの連続用紙は、搬送ラインにスムーズに丁合されて搬送される。
【図面の簡単な説明】
【００１６】
【図１】本発明に係る連続用紙の丁合装置の全体を概略的に示す正面図である。
【図２】ピン送り方式の給紙機を概略的に示す説明図である。
【図３】ピンレス方式の給紙機を概略的に示す説明図である。
【発明を実施するための形態】
【００１７】
本発明の実施の形態を図面に基づいて説明する。
【００１８】
図１は連続用紙の丁合装置の全体を概略的に示す正面図である。この連続用紙の丁合装置は搬送ライン１に沿って複数、例えば７台の給紙機２ａ，２ｂ，２ｃ，２ｄ，２ｅ，２ｆ，２ｇを設けた構成になっている。そして上記各給紙機２ａ〜２ｇのうち、上流側の４台の給紙機２ａ〜２ｄはピン送り方式になっており、下流側の３台の給紙機２ｅ〜２ｇは、ピン送りとピンレス送りの双方を行うことができるようにした兼用送り方式になっている。
【００１９】
またこの実施の形態では、上記ピン送り方式の給紙機２ａ〜２ｄと兼用送り方式の給紙機２ｅ〜２ｇの間にスリッタ装置３ａと抜き加工装置３ｂとからなる第１の加工部３が、また兼用送り方式の給紙機２ｅ〜２ｇの下流側に抜き加工装置４ａと横ミシン加工装置４ｂと、粕上げ装置４ｃとシートカット装置４ｄからなる第２の加工部４と、さらにこれの下流側に製品排出コンベヤ５とが配置されている。
【００２０】
上記搬送ライン１には、各給紙機１ａ〜１ｇから給紙されるピン送り方式用の連続用紙６ａ，６ｂ，６ｃ，６ｄ，６ｅ，６ｆ，６ｇの両側に設けられた送り孔に係合して、これを一定速度で搬送するピントラクタ７が複数設けてある。
【００２１】
また、上記搬送ライン１の兼用送り方式の給紙機２ｅ〜２ｇのそれぞれの下流側には、この兼用送り方式の各給紙機２ｅ〜２ｇより供給された送り孔無しの連続用紙６ｅ′〜６ｇ′を搬送するための搬送ロール８が設けてある。この搬送ロール８にはニップロール８ａが接離可能に転接されている。
【００２２】
上記ピントラクタ７と搬送ロール８は、本機を駆動する主モータにより固定送り率で回転駆動されるようになっている。なお、これらは単独モータにて回転制御可能に駆動するようにしてもよい。
【００２３】
上記ピントラクタ７と搬送ロール８とは選択的に用いられるものであって、搬送ライン１に送り孔有りの連続用紙６ａ〜６ｇを搬送する場合にはピントラクタ７が用いられ、搬送ロール８からはニップローラ８ａを離隔して、この搬送ロール８には搬送力が作用しないようにする。一方、兼用送り方式の給紙機２ｅ〜２ｇにて送り孔無しの連続用紙６ｅ′〜６ｇ′を搬送する場合には、上記ピントラクタ７の駆動を停止すると共に、搬送ロール８にニップロールを転接させて、この搬送ロール８によりこの連続用紙６ｅ′〜６ｇ′を搬送する。
【００２４】
なお、このときこの兼用送り方式の給紙機２ｅ〜２ｇより下流側のピントラクタ７が上記連続用紙６ｅ′〜６ｇ′の両側部と干渉して邪魔になる場合には、これを幅方向外側へ移動して連続用紙６ｅ′〜６ｇ′と干渉しないようにする。
【００２５】
上記ピン送り方式の給紙機２ａ〜２ｄは同一構成になっていて、それぞれのロール支持部にセットされた上記連続用紙６ａ〜６ｄの搬送ライン１への給紙タイミングを制御するピン送り用制御部９が設けられており、このピン送り用制御部９の構成を図２にて説明する。
【００２６】
この図２において、例えば第２のピン送り用給紙機２ｂにおけるピン送り用制御部９では、給紙方向上流側から順に配置されるダンサロール装置１０と送り制御装置１１と糊付け装置１２とからなっている。
【００２７】
ダンサロール装置１０は、上下方向に移動することによってロール紙から供給される連続用紙６ｂの搬送経路の長さを調整するダンサロール１３を有している。
【００２８】
送り制御装置１１は、送り制御ロール１４とテンションロール１５とを有している。
【００２９】
また糊付け装置１２は、積層する連続用紙６ｂの裏側面の所定の位置に線糊、または点糊を施す糊付けノズル１６を有している。なお、この糊付け装置１２は、上記したように積層する連続用紙の裏側面に糊を塗布するものであることにより、最上流側に位置する第１のピン送り方式の給紙機２ａのピン送り用制御部９には、この糊付け装置１２は設ける必要はない。
【００３０】
この第２のピン送り方式の給紙機２ｂのピン送り用制御部９では、これの下流側に配置されるピントラクタ７にて連続用紙６ｂが搬送ライン１にて搬送されると、送り制御装置１１のテンションロール１５が移動することによりこれが検出され、その検出結果が電気信号に変換されて送り制御ロール１４を駆動する単独モータの制御装置に送られ、上記テンションロール１５を図２に示される所定角度位置に保持するように送り制御ロール１４の送り回転が制御される。
【００３１】
送り制御ロール１４にて連続用紙６ｂが給紙されると、この給紙量がダンサロール１３の昇降動作に変換され、この昇降動作により連続用紙６ｂのロール支持部の巻き出し軸のブレーキ力が増減される。また、ダンサロール１３には図示しないベロフラムシリンダ等を用いて、常時経路長が長くなる方向へ一定のストロークで一定の力を作用させており、その力により上記巻き出し軸のブレーキが弱まると連続用紙６ｂが繰り出され、また連続用紙６ｂが出過ぎてダンサロール１３による経路長が長くなりすぎると上記ブレーキ力が強くなって、連続用紙６ｂの繰り出しを制止するように作用され、一定張力を保持しながら連続用紙６ｂが繰り出される。
【００３２】
上記のように供給された連続用紙６ｂは、これの裏側面に糊付け装置１２の糊付けノズル１６にて糊が塗布されてからピントラクタ７へ送られ、ここで上流側の連続用紙６ａと絵柄位置が合わされて丁合される。
【００３３】
また、この場合のピントラクタ７の入口部での連続用紙６ｂの張力は、テンションロール１５により送り孔がピントラクタのピンにより破られない程度の軽い張力となる。また、ピントラクタ７を通過した連続用紙６ｂは弛んだ状態で搬送され張力がない状態となる。
【００３４】
上記作用は、各ピン送り方式の給紙機２ａ〜２ｄのピン送り用制御部９は同様の作用が行われ、搬送ライン１の各ピントラクタ７、各ピン送り用制御部９の送り制御ロール１４の同期作動により各ピン送り方式の給紙機２ａ〜２ｄから供給された各連続用紙６ａ〜６ｄは、丁合されて搬送ライン１に搬送される。
【００３５】
次にピン送りとピンレス送りの兼用送り方式の給紙機２ｅ〜２ｇを図１、図３にて説明する。この兼用送り方式の給紙機２ｅ〜２ｇには、上記した両側に送り孔を設けた連続用紙６ｅ〜６ｇのほかに、上記送り孔を有しない連続用紙６ｅ′〜６ｇ′がセットできるようになっている。そしてこの各兼用送り方式の給紙機２ｅ〜２ｇには、上記ピン送り方式の給紙機２ａ〜２ｄと同一構成のピン送り用制御部９と、これのほかにピンレス送り用制御部１９を備えている。
【００３６】
図３は上記兼用送り方式の給紙機２ｅ〜２ｇのうちの１つを示すものであり、この図３にてピンレス送り用制御部１９の構成を説明する。
【００３７】
ピンレス送り用制御部１９は、上記ピン送り制御部９のダンサロール装置１０からピン送り制御部９の送り制御装置１１と糊付け装置１２をバイパスするようにして設けられている。
【００３８】
このピンレス送り用制御部１９は、ダンサロール装置１０の下流側に位置するＳ字送り制御ロール２０と糊付け装置１２ａと送り制御ロール２１とからなっている。この送り制御ロール２１は糊圧着ロール２２と対接して搬送ライン１に配置されている。また、兼用送り方式の各給紙機２ｅ〜２ｇの下流側に、送り孔を有していない連続用紙６ｅ′に、あらかじめ呼称サイズピッチで印刷されているタイミングマークを読み取るためのマークセンサ２３が設けられている。上記糊圧着ロール２２は、搬送ライン１の搬送速度と同期して回転駆動されている。
【００３９】
上記Ｓ字送り制御ロール２０と送り制御ロール２１は、１個の制御可能にした単独モータにより、またはそれぞれ個々に制御可能にした単独モータにより回転駆動されるようになっており、それぞれのモータは、マークセンサ２３での検出信号に基づいて回転制御されるようになっている。
【００４０】
すなわち、送り孔無しの連続用紙６ｅ′に呼称サイズピッチで印刷されてあるタイミングマークをマークセンサ２３にて検出し、装置が上記呼称サイズ分回転するごとに、タイミングマークが所定位置を常に同一タイミングで通過するように上記Ｓ字送り制御ロール２０及び送り制御ロール２１が回転駆動されるようになっている。
【００４１】
このピンレス方式の場合の連続用紙６ｅ′，６ｆ′，６ｇ′の印刷ピッチの差は、搬送ライン１上で張力の差となって現れ、各印刷用紙６ｅ′〜６ｇ′の伸び量により、各絵柄位置がズレることなく合わされる。
【００４２】
このときにおいて各連続用紙６ｅ′〜６ｇ′のピンレス送り制御部１９でのＳ字制御ロール２０及び送り制御ロール２１での送り制御の結果である連続用紙の送り速度は、各ロール紙部から繰り出されて積層後の積層搬送ライン１での送り速度とは微量ではあるが速度差が存在する。
【００４３】
このような状態では、送り制御ロール２１に機械的に同期回転している糊圧着ロール２２が真円になっていて、送り制御ロール２１と連続ニップ状態であると、糊圧着ロール２２の周面と積層状態の連続用紙との間で速度差が生じ、積層紙の固有速度での搬送に障害が発生する。
【００４４】
そのため図３に示すように、上記糊圧着ロール２２の周面に、軸心方向に向けた所定幅を有する溝を周方向に設けてこの周面を凹凸状にして、このロールの周面に送り制御ロール２１に対して断続的な逃げが設けられている。そしてこの逃げ位置で積層紙と糊圧着ロール２２との速度差が吸収されるようになっている。糊圧着ロール２２をこのように、これの周面に凹凸を設けることにより、送り制御ロール２１の直前で糊が塗布されて積層される各連続用紙は、絵柄位置がズレることなく貼り合わされる。
【００４５】
なお、この実施の形態では送り制御ロール２１に上記糊圧着ロール２２を圧接させているが、各給紙部より給紙された連続用紙が積層された下流側で一括してこの部分に設けた糊圧着ロール２２にて圧着するようにしてもよい。
【００４６】
また、この実施の形態では、搬送ライン１に複数設けた搬送ロール８は、それぞれを本機に連動して駆動するようにした例を示したが、この複数の搬送ロールのうち、各連続用紙が積層された下流側に設けられた搬送ロールのみを送り制御するようにしてもよい。
【００４７】
搬送ライン１に設けられる各ピントラクタは、各給紙機２ａ〜２ｇにて給紙される連続用紙６ａ〜６ｇの両側に設けられた送り孔に合う位置に、幅方向に移動可能に、あるいは固定されて設けられている。
【００４８】
なお、兼用送り方式の給紙機２ｅ〜２ｇより下流側に設けられるピントラクタ７は、この給紙機２ｅ〜２ｇからは送り孔無しの連続用紙６ｅ′〜６ｇ′が供給されることもあるので、その場合、この連続用紙６ｅ′〜６ｇ′の幅が送り孔を有する上記連続用紙２ａ〜２ｇの幅と同一であれば、このピントラクタ７が邪魔になるので、横方向外側へ移動してこれが邪魔にならないようにする。
【００４９】
上記のように構成された連続用紙の丁合機の作用を以下に説明する。
【００５０】
（１）ピン送り方式による丁合
各給紙機２ａ〜２ｇに送り孔有りの連続用紙６ａ〜６ｇをセットすると共に、搬送ライン１における各ピントラクタ７を、上記連続用紙６ａ〜６ｇの送り孔列の幅方向の間隔に合わせてセットする。また、搬送ロール８からニップロール８ａを離隔して、あるいは搬送ロール８が自由回転するようにして、この搬送ロール８による搬送作用を行わないようにする。そして各連続用紙６ａ〜６ｇを各給紙機２ａ〜２ｇのピン送り用制御部９を通して、搬送ライン１に紙通しして本機を駆動する。このとき各ピントラクタ７は、搬送ライン１による搬送速度を同期駆動される。
【００５１】
これにより、各給紙機２ａ〜２ｇから供給された連続用紙６ａ〜６ｇは、各給紙機２ａ〜２ｇのピン送り用制御部９から糊付け装置１２にて所定の位置に糊付けされた状態で同期して搬送ライン１に給紙され、それぞれは丁合された状態でピントラクタ７で搬送される。
【００５２】
上流側の３台のピン送り方式の給紙部２ａ〜２ｃから給紙されて丁合された連続用紙６ａ〜６ｃは第１の加工部にて、例えばスリッタ装置３ａにてスリット加工され、抜き加工装置３ｂにて抜き加工される。さらに兼用送り方式の給紙機２ｅ〜２ｇの下流側では第２の加工部４にて、例えば抜き加工装置４ａにて抜き加工され、横ミシン加工装置４ｂにて横ミシン加工され、粕上げ装置４ｃにて粕上げされ、ついでシートカット装置４ｄにて所定の長さに切断されて、製品排出コンベヤ５にて排出される。または上記横ミシン加工装置４ｂにて絵柄長さごとに横ミシン加工が施されて排出後、これを折り機にかけてジグザグ状に折り重ねて折り重ね状の製品とする。
【００５３】
（２）ピンレス送り方式による丁合
兼用送り方式の給紙機２ｅ〜２ｇに送り孔無しの連続用紙６ｅ′〜６ｇ′をセットすると共に、搬送ロール８にニップロールを転接させて、これに搬送作用をするようにする。また、これらの給紙機２ｅ〜２ｇより下流側のピントラクタ７が、上記連続用紙６ｅ′〜６ｇ′の両側部と干渉する場合には、これを両側方へ干渉しない位置まで移動する。そして各連続用紙６ｅ′〜６ｇ′を各給紙機２ｅ〜２ｇのピンレス送り用制御部１９を通して、搬送ライン１に紙通しして本機を駆動する。このときの各搬送ロール８は同期回転される。
【００５４】
このとき図３で二点差線で示したように、ダンサロール装置１０を通さないで直接ピンレス送り用制御部１９へ紙通しし、連続用紙６ｅ′〜６ｇ′の支持軸にブレーキをかけて給紙するようにしてもよい。
【００５５】
これにより各給紙機２ｅ〜２ｇから供給された連続用紙６ｅ′〜６ｇ′は、各給紙機２ｅ〜２ｇのピンレス送り用制御部１９から糊付け装置１２ａにて所定の位置に糊付けされた状態で同期して、搬送ライン１に丁合された状態で供給され、搬送ロール８にて搬送される。そしてこれらの下流側での第２加工部４にて、上記ピン送り方式の場合と同様の加工が施されて製品排出コンベア５にて排出される。このとき上記搬送ロール８の送り速度をピンレス送り用制御部１９の送り速度よりわずかに速くしておくことにより、搬送ライン１における搬送をスムーズに行うことができる。
【００５６】
このとき、ピンレス送り用制御部１９の送り制御ロール２１に転接している糊圧着ロール２２は、送り制御ロール２１と機械的に同期回転している関係上、ロールが連続ニップの形状であると糊圧着ロール２１の周速度と積層状態の連続用紙との速度差が生じ、積層状態の連続用紙の固有速度での搬送に障害が生じるが、この実施の形態における上記糊圧着ロール２１の周面に円周方向に溝が設けてあって、送り制御ロール２１に対して断続的に逃げがあることにより、この逃げにより積層状態の連続用紙と糊圧着ロール２２との間の速度差が吸収される。
【００５７】
上記したように本発明に係る連続用紙の丁合装置によれば、ピン送り方式とピンレス送り方式の双方の丁合を選択的に行うことができ、多目的な用途に使用することが可能となる。
【００５８】
なお、このときにおいて各送り用制御部９，１９において、必ずしも糊付けを行わず、糊による貼り付けをしないで積層丁合するようにしてもよい。
【符号の説明】
【００５９】
１…搬送ライン、２ａ，２ｂ，２ｃ，２ｄ，２ｅ，２ｆ，２ｇ…給紙機、３…第１の加工部、３ａ…スリッタ装置、３ｂ…抜き加工装置、４…第２の加工部，４ａ…抜き加工装置、４ｂ…横ミシン加工装置、４ｃ…粕上げ装置、４ｄ…シートカット装置、５…製品排出コンベア、６ａ，６ｂ、６ｃ，６ｄ，６ｅ，６ｆ，６ｇ，６ｅ′，６ｆ′，６ｇ′…連続用紙、７…ピントラクタ、８…搬送ロール、８ａ…ニップロール、９…ピン送り用制御部、１０…ダンサロール装置、１１…送り制御装置、１２，１２ａ…糊付け装置、１３…ダンサロール、１４…送り制御ロール、１５…テンションロール、１６…糊付けノズル、１９…ピンレス送り用制御部、２０…Ｓ字送り制御ロール、２１…送り制御ロール、２２…糊圧着ロール、２３…マークセンサ。
【図１】
2010253793.tif 000003
【図２】
2010253793.tif 000004
【図３】
2010253793.tif 000005